(57)【要約】【課題】部品点数の削減を図ると共に、小型スピーカボックスであっても有効に低音再生が得られるテレビジョン受像機におけるスピーカ構造を提供する。【解決手段】テレビジョン受像機の前面側にフロントキャビネット１が配置され、後面側にバックカバー２が配置される。フロントキャビネット１とバックカバー２間にスピーカボックス３が配置される。スピーカボックス３内にスピーカユニット４を保持する。スピーカボックス３はスピーカユニット４の背面側を開放状とする開口部３ａを有する。スピーカボックス３の開口部３ａの一部を開放した状態でその開口部３ａを塞ぐ吸音材６を備える。吸音材６はスピーカボックス３とバックカバー２との隙間に挟み込まれて保持される。スピーカユニット４からの音声出口をフロントキャビネット１に設ける。【選択図】図２
2009246669.tif 000002
【特許請求の範囲】
【請求項１】
テレビジョン受像機の前面側に配置されるフロントキャビネットおよび後面側に配置されるバックカバーと、
前記フロントキャビネットと前記バックカバー間に配置され、スピーカユニットを保持すると共に保持されたスピーカユニットの背面側を開放状とする開口部を有するスピーカボックスと、
前記スピーカボックスの前記開口部の一部を開放した状態でその開口部を塞ぐ吸音材と、
を備え、
前記吸音材を、前記バックカバーまたは前記フロントキャビネットで保持して、前記スピーカユニットからの音声出口を前記フロントキャビネットまたは前記バックカバーに設けたことを特徴とするテレビジョン受像機におけるスピーカ構造。
【請求項２】
前記スピーカボックスにおける前記開口部の開口面積の６０〜９５％を前記吸音材で塞ぐことを特徴とする請求項１に記載のテレビジョン受像機におけるスピーカ構造。
【請求項３】
前記吸音材をスポンジとしたことを特徴とする請求項１または請求項２に記載のテレビジョン受像機におけるスピーカ構造。
【請求項４】
前記吸音材を不織布としたことを特徴とする請求項１または請求項２に記載のテレビジョン受像機におけるスピーカ構造。
【請求項５】
前記吸音材を発泡ウレタンとしたことを特徴とする請求項１または請求項２に記載のテレビジョン受像機におけるスピーカ構造。
【発明の詳細な説明】
【技術分野】
【０００１】
本発明は、テレビジョン受像機におけるスピーカ構造に関するものである。
【背景技術】
【０００２】
従来、スピーカボックスはスピーカユニットの背面から出る音を遮断するため、スピーカユニットを取り付けて保持するためのスピーカ保持部品と背面側を覆うための蓋部品との最低でも２つの部品を使って密閉構造とし、前記背面から出る音を遮断している。
【０００３】
また、密閉ボックス内での共振防止や低音再生のために、スピーカボックス内部に吸音材を入れている。
【０００４】
一方、スピーカユニットを組み付けた別ピースを、テレビジョン受像機のキャビネット側面に取り付けることにより、別ピースとキャビネット側面でスピーカボックスとしてのドーム形状を構成する取付構造のテレビジョン受像機もある（例えば、特許文献１参照）。
【０００５】
【特許文献１】実開平５−５７９７７号公報
【発明の開示】
【発明が解決しようとする課題】
【０００６】
一般に、テレビジョン受像機を構成するキャビネットにおいては、前面側にフロントキャビネットが配置され、後面側にバックカバーが配置されている。
【０００７】
そして、テレビジョン受像機内に前述のようなスピーカボックスが組み込まれた場合、スピーカボックスの前側にテレビジョン受像機のフロントキャビネットが位置され、スピーカボックスの後側にテレビジョン受像機のバックカバーが位置される。
【０００８】
従って、スピーカユニットの背面側は、スピーカボックスの蓋部品とテレビジョン受像機のバックカバーとの二重構造となっていた。
【０００９】
そこで、このような二重構造を止めて、テレビジョン受像機のバックカバーでスピーカユニットの蓋部品を兼用する構造とすれば、部品点数の削減が図れる。即ち、このような二重構造の改善策として、スピーカボックスを背面開放型の構造とし、スピーカボックスの背面側を覆うテレビジョン受像機のバックカバーとの隙間に、吸音材を挟み込む構造が考えられる。
【００１０】
しかしながら、背面開放型のスピーカボックスにおける背面の開口面積の１００％を吸音材で塞ぐ構造とすると、低音が出難くく、特に、スピーカボックスの内容積が小さいと低音再生に不利であった。
【００１１】
そこで、本発明は、上記のような課題を解決するためになされたもので、部品点数の削減を図ると共に、小型スピーカボックスであっても有効に低音再生が得られるテレビジョン受像機におけるスピーカ構造を提供することを目的とする。
【課題を解決するための手段】
【００１２】
本発明は、テレビジョン受像機の前面側に配置されるフロントキャビネットおよび後面側に配置されるバックカバーと、前記フロントキャビネットと前記バックカバー間に配置され、スピーカユニットを保持すると共に保持されたスピーカユニットの背面側を開放状とする開口部を有するスピーカボックスと、前記スピーカボックスの前記開口部の一部を開放した状態でその開口部を塞ぐ吸音材と、を備え、前記吸音材を、前記バックカバーまたは前記フロントキャビネットで保持して、前記スピーカユニットからの音声出口を前記フロントキャビネットまたは前記バックカバーに設けたことを特徴とするテレビジョン受像機におけるスピーカ構造にある。
【発明の効果】
【００１３】
本発明のテレビジョン受像機におけるスピーカ構造によれば、テレビジョン受像機の前面側に配置されるフロントキャビネットおよび後面側に配置されるバックカバーと、フロントキャビネットとバックカバー間に配置され、スピーカユニットを保持すると共に保持されたスピーカユニットの背面側を開放状とする開口部を有するスピーカボックスと、スピーカボックスの開口部の一部を開放した状態でその開口部を塞ぐ吸音材と、を備え、吸音材を、バックカバーまたはフロントキャビネットで保持して、スピーカユニットからの音声出口をフロントキャビネットまたはバックカバーに設けた構造とされており、前述従来構造のようなスピーカボックスの蓋部品を無くして、スピーカユニットの背面側を吸音材とテレビジョン受像機のバックカバーまたはフロントキャビネットで塞いでいるため、構造の簡素化による部品点数の削減が図れる。
【００１４】
また、スピーカユニットの背面側に対応するスピーカボックスの開口部を、その一部に開放した部分を残して吸音材で塞ぐ構造としているため、その開放した部分より低音を出すことによって、小型スピーカボックスであっても有効に低音再生が可能となる。
【発明を実施するための最良の形態】
【００１５】
＜実施の形態１＞
以下、本発明の実施の形態１を図面に基づいて説明すると、図１ないし図３に示されるように、テレビジョン受像機の前面側に対応してフロントキャビネット１が配置され、テレビジョン受像機の後面側に対応してバックカバー２が配置されている。
【００１６】
そして、このフロントキャビネット１とバックカバー２との相互間に、背面開放型とされたスピーカボックス３が配置される構造とされている。
【００１７】
即ち、スピーカボックス３の背面側を開放状とする開口部３ａを通じて、スピーカユニット４がスピーカボックス３内に挿入されると共に、スピーカボックス３内のバッフル部３ｂにネジ固定等により取り付けられて保持される。
【００１８】
また、図２や図３に示されるように、スピーカボックス３の開口部３ａにおける下部に、一部を開放した一部開放領域５を残した状態で、他の部分を吸音材６で塞ぐように、スピーカボックス３の背面側に吸音材６が貼り付けられている。
【００１９】
そして、図２に示されるように、フロントキャビネット１の内面側に、スピーカボックス３が取り付けられ、スピーカボックス３とバックカバー２との隙間に吸音材６が挟み込まれるように保持して、バックカバー２が組み付けられている。
【００２０】
この組み付け状態において、スピーカユニット４の前面側には、スピーカボックス３の前面開口３ｃからフロントキャビネット１の開口１ａに通じる音声出口路８ａが構成され、スピーカユニット４の背面側には、スピーカボックス３の背面側の開口部３ａにおける一部開放領域５から、スピーカボックス３の下部外面とバックカバー２の内面との隙間を通じてフロントキャビネット１の開口１ａに至る音声出口路８ｂが構成されている。
【００２１】
そして、この本実施の形態のスピーカ構造によれば、スピーカユニット４の前面側からの音声は一方の音声出口路８ａを通じて出され、スピーカユニット４の背面側からの音声は他方の音声出口路８ｂを通じて出される。この際、一部開放領域５の開放面積は、スピーカユニット４のボックス容積やスピーカ特性等に合わせて調整することにより、一部開放領域５から低音だけを出す構造とすることにより、小型スピーカボックス３であっても低音再生が可能となる。
【００２２】
以上のように、本実施の形態においては、背面開放型のスピーカボックス３における背面側を、吸音材６とバックカバー２で塞ぐ構造としているため、従来構造における蓋部品をバックカバー２で兼用した構造となり、ここに蓋部品を省略して二重構造を無くし、構造の簡素化による部品点数の削減が図れる。
【００２３】
また、スピーカボックス３の背面側における開口部３ａを、一部開放領域５を残して、吸音材６で塞ぐ構造としているため、一部開放領域５を通じて低音を出す構造とすることができ、小型スピーカボックス３であっても有効に低音再生が可能となる利点がある。
【００２４】
そして、スピーカボックス３の小型化が有効に図れるため、テレビジョン受像機全体の小型化も有効に図れる。
【００２５】
また、低音を出すための一部開放領域５の開口面積の調整は、スピーカボックス３における開口部３ａを吸音材６で塞ぐ際に、その塞ぐ面積を開口部３ａにおける開口面積の６０〜９５％の範囲で調整することにより、容易に調整することができる。
【００２６】
＜他の実施の形態＞
なお、上記の実施の形態１においては、スピーカボックス３の開口部３ａ周縁部に対して吸音材６を貼り付け、さらに、スピーカボックス３とバックカバー２との相互間で吸音材６を挟んで保持する構造としているが、単にスピーカボックス３とバックカバー２との相互間の隙間に吸音材６を挟み込むことによって、吸音材６を保持する構造としてもよい。この場合、より構造の簡素化が図れる。
【００２７】
そして、このような吸音材６としては、例えば、スポンジや不織布や発泡ウレタン等を採用することができる。
【００２８】
また、上記の実施の形態１においては、フロントキャビネット１に音声出口となる開口１ａを形成した構造を示しているが、スピーカボックス３が前後反転した状態で、フロントキャビネット１とバックカバー２との相互間に配置される場合には、スピーカボックス３の開口部３ａ周縁部とフロントキャビネット１内面との隙間で吸音材６を挟み込む構造とし、バックカバー２に音声出口となる開口を形成する構造とすればよい。
【００２９】
さらに、フロントキャビネット１やバックカバー２やスピーカボックス３の形状や構造は、何ら実施の形態の形状や構造に限られず、必要に応じて適宜変更すればよい。
【図面の簡単な説明】
【００３０】
【図１】本発明に係る実施の形態１を示す分解斜視図である。
【図２】同組み付け状態の縦断面図である。
【図３】スピーカボックスの斜視図である。
【符号の説明】
【００３１】
１  フロントキャビネット、２  バックカバー、３  スピーカボックス、３ａ  開口部、４  スピーカユニット、６  吸音材。
【図１】
2009246669.tif 000003
【図２】
2009246669.tif 000004
【図３】
2009246669.tif 000005